(57)【特許請求の範囲】
【請求項１】
電動送風機を内蔵する電気掃除機本体に連通するように接続されると共に、回転ロータを回転自在に収納する掃除機用床ノズルにおいて、前記回転ロータは、外周の長手方向に複数の溝部を有するロータと、前記溝部に下端が装着される複数の清掃体からなり、前記清掃体の少なくとも一つは、全体形状が略帯状で、かつ長手方向に沿って被掃除面側端部に複数のループ状部を有するものであって、両側に前記ループ状部が形成された平帯体を略中央部で折り曲げて折り曲げ部とし、該折り曲げ部を前記ロータの前記溝部に装着したことを特徴とする掃除機用床ノズル。
【請求項２】
清掃体の短手方向に複数のループ状部を少なくとも二重に形成した請求項１に記載の掃除機用床ノズル。
【請求項３】
略中央部を折り曲げる前に、一側のループ状部の端部を切断してブラシ部を形成した請求項１又は２に記載の掃除機用床ノズル。
【請求項４】
清掃体の下部を、ループ状部を支持する支柱部と、折り曲げ部を覆う帯状体で形成した請求項１〜３のいずれか１項に記載の掃除機用床ノズル。
【請求項５】
清掃体の下部を、ループ状部を支持する支柱部と、折り曲げ部の内側に位置する芯線と、前記折り曲げ部と共に前記芯線を覆う帯状体で形成した請求項１〜３のいずれか１項に記載の掃除機用床ノズル。
【請求項６】
溝部に二つ折した清掃体の下端部を挿入した後、前記溝部に押さえ部材を圧入して前記清掃体の下端部を固定するようにした請求項１〜３のいずれか１項に記載の掃除機用床ノズル。
【請求項７】
清掃体の下端部を、熱可塑性材料で成形した請求項１〜６のいずれか１項に記載の掃除機用床ノズル。
【請求項８】
吸引力を発生させる電動送風機と、塵埃を捕集する集塵室と、請求項１〜７のいずれか１項に記載の掃除機用床ノズルとを備えた電気掃除機。
【発明の詳細な説明】
【技術分野】
【０００１】  本発明は、掃除機用床ノズル及びそれを用いた電気掃除機に関するものである。
【背景技術】
【０００２】  従来のこの種の掃除機用床ノズルについて、図８を用いて説明する。図８は、従来の掃除機用床ノズルの上ケースをはずしたときの分解斜視図である。
図８において、従来の掃除機用床ノズル１は、前方下面に吸引用の開口部２を有する下ケース３と、下ケース３の後部に回動自在に設けられ、図示しない電気掃除機にホースや延長管を介して接続される接続管４と、一端にプーリー５ａを有すると共に下ケース３に回動自在に装着された回転ロータ５と、前記プーリー５ａに張架されたベルト６を介して回転ロータ５を回転駆動するモータ７から構成されている。
回転ロータ５は、掃除機用床ノズル１に回転自在に支持され外周面の長手方向に複数の溝部（図示せず）を螺旋状に形成したロータ５ｃと、前記溝部に装着された清掃体５ｄから構成され、その清掃体５ｄは、織布や不織布などから形成されたもの（例えば、特許文献１参照）、ブラシ状に形成されたもの（例えば、特許文献２参照）、軟質材で帯状に形成されたもの（例えば、特許文献３参照）などがあった。
上記構成により、電気掃除機を運転すると共に、モータ７に通電すると、回転ロータ５が回転し、清掃体５ｄにより被掃除面の塵埃が掻き上げられ、電気掃除機に内蔵された電動送風機（図示せず）による吸引力で、開口部２より、空気と共に吸引される。
【特許文献１】特開平１１−００９５２２号公報
【特許文献２】特開２００１−１６１６１１号公報
【特許文献３】特開平１１−３１８７８１号公報
【発明の開示】
【発明が解決しようとする課題】
【０００３】  しかしながら、上記特許文献１に開示された従来の掃除機用床ノズルの織布や不織布などから形成された清掃体は、帯状に形成されているので、回転ロータ５の回転時に撓みながら側面で塵埃を被掃除面に押し付けるような作用をするので、被掃除面からの塵埃の除去性能がよくなかった。又、上記特許文献２に開示されたブラシ状に形成された清掃体の場合、床面などの被掃除面の溝などに入った砂ゴミを掃き出すのには優れているものの、被掃除面をブラシの一本一本の毛の先端でなぞる、すなわち線状になぞるだけなので、やはり塵埃除去性能は悪かった。【０００４】  又、上記特許文献３に開示されたシリコンゴムなどの軟質材で帯状に形成された清掃体の場合も、織布や不織布などから形成された清掃体と同じく、回転時に清掃体の側面で塵埃を被掃除面に押し付けるような作用をするので、被掃除面からの塵埃の除去性能がよくなかった。【０００５】  本発明は、上記従来の課題を解決するもので、塵埃の除去性能は勿論拭き掃き性能にも優れた掃除機用床ノズル及び電気掃除機を提供することを目的とする。
【課題を解決するための手段】
【０００６】
前記従来の課題を解決するために、本発明の掃除機用床ノズルは、電動送風機を内蔵する電気掃除機本体に連通するように接続されると共に、回転ロータを回転自在に収納する掃除機用床ノズルにおいて、前記回転ロータは、外周の長手方向に複数の溝部を有するロータと、前記溝部に下端が装着される複数の清掃体からなり、前記清掃体の少なくとも一つは、全体形状が略帯状で、かつ長手方向に沿って被掃除面側端部に複数のループ状部を有するものであって、両側に前記ループ状部が形成された平帯体を略中央部で折り曲げて折り曲げ部とし、該折り曲げ部を前記ロータの前記溝部に装着したもので、被掃除面が木床やタイルなどの場合、ループ状部が床面上の塵埃を掬い取るような作用をすることにより塵埃の除去性能が向上ししかも、被掃除面にループ状部が線状に接触するので磨き効果も向上し、又絨毯上では、ループ状部が絨毯のパイルをムチのように叩くので、塵埃がパイルからたたき出され、塵埃の除去性能が大幅に向上するもので、掃除性能に優れた掃除機用床ノズルを提供することが出来る。
【０００７】
また、本発明の電気掃除機は、吸引力を発生させる電動送風機と、塵埃を捕集する集塵室と、請求項１〜７のいずれか１項に記載の掃除機用床ノズルとを備えたもので、被掃除面の種類に関わらず、塵埃の除去性能が大幅に向上し、掃除性能に優れた電気掃除機を提供することが出来る。
【発明の効果】
【０００８】  本発明の掃除機用床ノズルは、被掃除面からの塵埃の除去性能に優れ、かつ木床などの磨き性能にも優れたものである。
【発明を実施するための最良の形態】
【０００９】
第１の発明は、電動送風機を内蔵する電気掃除機本体に連通するように接続されると共に、回転ロータを回転自在に収納する掃除機用床ノズルにおいて、前記回転ロータは、外周の長手方向に複数の溝部を有するロータと、前記溝部に下端が装着される複数の清掃体からなり、前記清掃体の少なくとも一つは、全体形状が略帯状で、かつ長手方向に沿って被掃除面側端部に複数のループ状部を有するものであって、両側に前記ループ状部が形成された平帯体を略中央部で折り曲げて折り曲げ部とし、該折り曲げ部を前記ロータの前記溝部に装着したもので、被掃除面が木床やタイルなどの場合、ループ状部が床面上の塵埃を掬い取るような作用をすることにより塵埃の除去性能が向上ししかも、被掃除面にループ状部が線状に接触するので磨き効果も向上し、又絨毯上では、ループ状部が絨毯のパイルをムチのように叩くので、塵埃がパイルからたたき出され、塵埃の除去性能が大幅に向上するもので、掃除性能に優れた掃除機用床ノズルを提供することが出来る。また、二重のループ状部の形成が容易にできるので、安価に形成することができる。
【００１０】
第２の発明は、特に、第１の発明の清掃体の短手方向に複数のループ状部を少なくとも二重に形成したもので、ループ状部のこしが強くなり、被掃除面に附着した塵埃を確実に除去することが出来る。また、二重に形成した一方のループ状部と他方のループ状部との間に段差を設けるようにすれば、被掃除面を擦る面積が広がり、塵埃の除去性能がさらに向上する。
【００１２】
第３の発明は、特に、第１又は第２の発明の清掃体において、略中央部を折り曲げる前に、一側のループ状部の端部を切断してブラシ部を形成するもので、ブラシ部の形成が容易であると共に、そのブラシ部により、木床やタイルの凹部に入り込んだ砂ゴミなどを効率よく掃き出すことができる。
【００１３】
第４の発明は、特に、第１〜第３のいずれかの発明の清掃体の下部を、ループ状部を支持する支柱部と、折り曲げ部を覆う帯状体で形成したもので、清掃体の下端部をロータに設けた溝部に容易に装着することが出来るので、製造コストが低減できる。
【００１４】
第５の発明は、特に、第１〜第３のいずれかの発明の清掃体の下部を、ループ状部を支持する支柱部と、折り曲げ部の内側に位置する芯線と、前記折り曲げ部と共に前記芯線を覆う帯状体で形成したもので、折り曲げ部が帯状体と芯線により挟持されるので、清掃体の支柱部の取り付けが堅固になり、かつ芯線により清掃体の下端部の剛性が高まるので、帯状体をロータに設けた溝部に容易に装着することが出来る。
【００１５】
第６の発明は、特に、第１〜第３のいずれかの発明の溝部に二つ折した清掃体の下端部を挿入した後、前記溝部に押さえ部材を圧入して前記清掃体の下端部を固定するようにしたもので、清掃体の下端部に帯状体を取り付けたり熱可塑性材料で成形する必要が無く、又押さえ部材を半径方向から圧入するだけなので、溝部の一方の端部から、帯状体や、熱可塑性材料で成形された部分を挿入していくより短時間に行うことができ、安価に形成することが出来る。
【００１６】
第７の発明は、特に、第１〜第６のいずれかの発明の清掃体の下端部を、熱可塑性材料で成形したもので、ロータの溝部に装着される清掃体の下端部の加工が、金型成形により容易にかつ多量にできるので、製造コストを低減することができる。
【００１７】
第８の発明は、吸引力を発生させる電動送風機と、塵埃を捕集する集塵室と、第１〜第７のいずれかの発明の掃除機用床ノズルとを備えたもので、被掃除面の種類に関わらず、塵埃の除去性能が大幅に向上し、掃除性能に優れた電気掃除機を提供することが出来る。
以下、本発明の実施例について図面を参照しながら説明する。なお、この実施例により本発明が限定されるものではない。
【実施例１】
【００１８】  図１は、本発明の第１の実施例における掃除機用床ノズルについて、図１〜５を用いて説明する。なお、本実施例における掃除機用床ノズルの全体構成は従来例（図８）と同一なので、同一部分については、同一符号を付してその説明を省略する。【００１９】  図１は、本実施例における掃除機用床ノズルの上ケースを外した状態の分解斜視図、図２は、同掃除機用床ノズルの回転ロータの展開斜視図、図３（ａ）は、同回転ロータの清掃体の斜視図、（ｂ）は、同清掃体の平帯体の平面図、（ｃ）は、同平帯体の側面図である。【００２０】  図１において、本実施例における掃除機用床ノズル９の回転ロータ１０は、アルミニウムなどの金属材料からなり外周面の長手方向に均等に４本の溝部１１を外方に開口するように設けたロータ１２と、略帯状で下端が溝部４に嵌合装着されると共に長手方向に沿って複数のループ状部１３ａを有する一対の清掃体１３と、ブレード状でシリコンゴムなどの軟質材で形成された一対の清掃体Ａ１７と、清掃体１３と清掃体Ａ１７をロータ１２に装着した後、そのロータ１２の一端に圧入されると共にモータ７で駆動されるベルト６が張架されるプーリー付きホルダー１４と、ロータ１２の他端に圧入される軸受けホルダー１５から構成されている。１６は、回転ロータ１０の両端を掃除機用床ノズル１に回転自在に保持するための軸受けである。【００２１】  なお、清掃体Ａ１７の突出代は、清掃体１３より低めに設定している。また、ロータ１２に設けた溝部１１は、本実施例では、ロータ１２の全幅に渡って１８０度の捩り角度で螺旋状に形成されているが、その捩れ角度はそれに限定されるものではなく、９０度、２７０度或いは３６０度でも良い。【００２２】  次に清掃体１３の構造並びにロータ１２への組み立て方法について図３を用いて説明する。図３（ａ）に示すように、清掃体１３は、先端に複数のループ状部１３ａを有する平帯体１３ｂと、略中央で折り曲げられた平帯体１３ｂの下端部１３ｃに挿入された芯線１３ｄと、金属製の薄板材からなり芯線１３ｄと共に平帯体１３ｂの下端部１３ｃを挟持する帯状体１３ｅから構成され、帯状体１３ｅをロータ１２の溝部１１の一方の端部から挿入して、清掃体１３を回転ロータ１０に取り付けるようにしている。【００２３】  図３（ｂ）は、清掃体１３の平帯体１３ｂの展開図を示すもので、平帯体１３ｂは、多数の細い繊維からなるフィラメントを集合させた糸１３ｆを、両端にループ状部１３ａを形成しながら平帯状に織り、次に、両端のループ状部１３ａ間に支柱部１３ｇを残し、ほつれないようにするために綴じ糸１３ｍで、長手方向に縫って完成される。【００２４】  次に、平帯体１３ｂを、芯線１３ｄを間に入れて略中央で折って両側のループ状部１３ａが二重に重なるようにし、次に、その下端部１３ｃを帯状体１３ｅで挟み込んで清掃体１３が完成する。本実施例では、平帯体１３ｂの一側のループ状部１３ａの先端と他側のループ状部１３ａの先端との間に段差Ｌを設けるようにしたが、段差Ｌをゼロ、すなわち両方のループ状部１３ａの先端を揃えても良い。【００２５】  なお、芯線１３ｄは、清掃体１３の組み立て上必要なもので、清掃体１３の完成後、抜き取っても良い��また、芯線１３ｄを用いることなく、清掃体１３が組み立てられるのであれば、勿論芯線１３ｄは不要である。【００２６】  図４は、上記実施例における掃除機用床ノズル９を接続した電気掃除機の全体側面図である。電気掃除機は、前部に塵埃を捕集する集塵室２１と、後部に電動送風機２２を内蔵した電動送風機室２３をそれぞれ備えた掃除機本体２０と、前記集塵室２１に連通するように一端が掃除機本体２０に接続されるホース２４と、ホース２４の他端に設けられたハンドルパイプ２５に着脱自在に接続される延長管２６とを備え、前記延長管２６の他端に、本実施例における掃除機用床ノズル９が接続される。【００２７】  上記構成により、掃除機本体２０を運転し、ハンドルパイプ２５を操作して、掃除機用床ノズル９を木床や絨毯上で操作すると、掃除機用床ノズル９に内蔵されたモータ７により回転ロータ１０が回転し、塵埃が清掃体１３により掻き上げられ、電動送風機２２による吸引力で、空気と共に塵埃が、延長管２６、ホース２４を通って集塵室２１に流れ込みそこで塵埃が捕集される。【００２８】  ここで、清掃体１３のループ状部１３ａの作用について、図５を用いて説明する。図５（ａ）は、掃除機用床ノズル９を木床上で運転したときの様子を示す拡大図で、回転ロータ１０が回転すると、清掃体１３のループ状部１３ａが線状になって床面にたたきつけられながら床面上の塵埃２７を掬い取るような作用をするので、床面上の塵埃２７を確実に除去し、吸引することが出来る。なお、清掃体１３より突出代の小さい清掃体Ａ１７の先端は、木床やタイル面に当たらず空転するだけである。【００２９】  図５（ｂ）は、掃除機用床ノズル９を絨毯上で運転したときの様子を示す拡大図で、回転ロータ１０が回転すると、清掃体１３のループ状部１３ａが、ムチにように絨毯のパイル２８を叩くので、パイル２８にこびりついた塵埃２７がふるい落とされ、その後から来る清掃体Ａ１７で、ふるい落とされた塵埃２７を巻き上げるようにするので、パイル２８に附着した塵埃２７を確実に吸引することが出来る。【００３０】  以上のように本実施例によれば、被掃除面が木床やタイルなどの場合、ループ状部１３ａが床面上の塵埃を掬い取るような作用をすることにより塵埃の除去性能が向上ししかも、被掃除面にループ状部１３ａが線状に接触するので磨き効果も向上し、又絨毯上では、ループ状部１３ａが絨毯のパイル２８をムチのように叩くので、塵埃がパイル２８からたたき出され、塵埃の除去性能が大幅に向上するので、掃除性能に優れた掃除機用床ノズル９を提供することが出来る。【００３１】  又、清掃体１３にループ状部１３ａが二重に形成されているので、ループ状部１３ａのこしが強くなり、被掃除面に附着した塵埃を確実に除去することが出来る。又、二重に形成した一方のループ状部１３ａと他方のループ状部１３ａとの間に段差を設けるようにすれば、被掃除面を擦る面積が広がり、塵埃の除去性能がさらに向上する。【００３２】  又、清掃体１３の平帯体１３ｂの長手方向に沿って両側に複数のループ状部１３ａを形成し、それを略中央部で折り曲げるだけで、二重のループ状部１３ａが形成されるので、清掃体１３を安価に形成することができる。【００３３】  又、平帯体１３ｂの略中央部を折り曲げる前に、一側のループ状部１３ａの端部を切断してブラシ部１３ｋを形成することにより、ブラシ部１３ｋの形成が容易であると共に、そのブラシ部１３ｋにより、木床やタイルの凹部に入り込んだ砂ゴミなどを効率よく掃き出すことができる。【００３４】  さらに、清掃体１３の下部を、ループ状部１３ａを支持する支柱部１３ｇと、折り曲げ部（下端部１３ｃ）の内側に位置する芯線１３ｄと、前記折り曲げ部と共に前記芯線１３ｄを覆う帯状体１３ｅで形成することで、折り曲げ部が帯状体１３ｅと芯線１３ｄにより挟持されるので、清掃体１３の支柱部１３ｇの取り付けが堅固になり、かつ芯線１３ｄにより清掃体１３の下端部の剛性が高まるので、帯状体１３ｅをロータ１２に設けた溝部１１に容易に装着することが出来る。【００３５】  なお、上記実施例では、清掃体１３の下端部１３ｃを帯状体１３ｅで挟持するようにしたが、図６（ａ）に示すように、清掃体１３の下端部１３ｃを熱可塑性樹脂やゴムなどの熱可塑性材料１３ｈで一体的に成形するようにすれば、芯線１３ｄや帯状体１３ｅが不要になり部品点数の削減が図れると共に、回転ロータ１０の溝部１１内での清掃体１３の下端部１３ｃのびびり音を低減することが出来る。また、清掃体１３の下端部１３ｃの加工が、金型成形により容易にかつ多量にできるので、製造コストを低減することができる。【００３６】  又、図６（ｂ）に示すように、清掃体１３の平帯体１３ｂを二つ折りしその部分をロータ１２に設けた溝部１１に入れ、直接押さえ部材１８で圧入するようにしても良い。この方法によれば、帯状体１３ｅや、熱可塑性材料１３ｈによる成形も不要で、しかも押さえ部材１８を半径方向から圧入するだけなので、溝部１１の一方の端部から、帯状体１３ｅや、熱可塑性材料１３ｈで成形された部分を挿入していくより短時間に行うことができるので、安価に形成することが出来る。
【実施例２】
【００３７】  図７（ａ）は、本発明の第２の実施例における掃除機用床ノズルの清掃体の平帯体の部分平面図、（ｂ）は、同清掃体の部分側面図である。尚、上記第１の実施例と同一部分については、同一符号を付してその説明を省略する。【００３８】  本実施例は、図７（ａ）に示すように、平帯体１３ｂを広げた状態で一方のループ状部１３ａの端部をラインＬに沿って切断して、ブラシ部１３ｋを形成したもので、この平帯体１３ｂを折り曲げて清掃体１３に組み込むことにより、図７（ｂ）に示すように、清掃体１３の端部の一方にループ状部１３ａが、他方にブラシ部１３ｋが配されたものとなる。尚、本実施例では、ブラシ部１３ｋがループ状部１３ａより若干突出させている。【００３９】  上記構成により、掃除機用床ノズル９を木床やタイル面上で操作したときに、ループ状部１３ａより突出したブラシ部１３ｋが、木床の溝（図示せず）やタイルの表面に形成された凹部に入り込んだ砂ゴミなどを効率よく掃き出すので、塵埃除去性能が向上する。なお、ループ状部１３ａによる掃除の際の作用は、上記第１の実施例と同一なので説明を省略する。尚、上記実施例では、ブラシ部１３ｋを、平帯体１３ｂを展開した状態で一方のループ状部１３ａを切断して形成したが、両端にループ状部１３ａを有する平帯体１３ｂを折り曲げた後に、一方のループ状部１３ａの端部を切断するようにしてもよい。【００４０】  また、吸引力を発生させる電動送風機２２と、塵埃を捕集する集塵室２１とを備えた電気掃除機に、上記第１、第２の実施例における掃除機用床ノズル９を接続することにより、被掃除面の種類に関わらず、塵埃の除去性能が大幅に向上し、掃除性能に優れた電気掃除機を提供することが出来る。
【産業上の利用可能性】
【００４１】  以上のように、本発明に係る掃除機用床ノズルは、被掃除面の種類に関わらず塵埃の除去性能に優れ、かつ木床などの磨き性能にも優れたもので、電気掃除機に接続される掃除機用床ノズルに限らず、床面洗浄機や、床磨き機などにも適用できるものである。
【図面の簡単な説明】
【００４２】
【図１】本発明の実施例１における掃除機用床ノズルの上ケースを外した状態の分解斜視図
【図２】同掃除機用床ノズルの回転ロータの展開斜視図
【図３】（ａ）同回転ロータの清掃体の斜視図、（ｂ）同清掃体の平帯体の平面図、（ｃ）同平帯体の側面図
【図４】同掃除機用床ノズルを接続した電気掃除機の全体側面図
【図５】（ａ）同清掃体の作用を示す部分拡大図（木床上）、（ｂ）同清掃体の作用を示す部分拡大図（絨毯上）
【図６】（ａ）清掃体の他の例を示す断面図、（ｂ）清掃体の他の取り付け例を示す部分断面図
【図７】（ａ）本発明の実施例２における掃除機用床ノズルの清掃体の平帯体の部分平面図、（ｂ）同清掃体の部分側面図
【図８】従来の掃除機用床ノズルを示す分解斜視図
【符号の説明】
【００４３】９  掃除機用床ノズル
１０  回転ロータ
１１  溝部
１２  ロータ
１３  清掃体
１３ａ  ループ状部
１３ｋ  ブラシ部
１８  押さえ部材
【図１】
0004630148.tif 000002
【図２】
0004630148.tif 000003
【図３】
0004630148.tif 000004
【図４】
0004630148.tif 000005
【図５】
0004630148.tif 000006
【図６】
0004630148.tif 000007
【図７】
0004630148.tif 000008
【図８】
0004630148.tif 000009